【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
遊技者による開始操作の検出を行う開始操作検出手段と、
複数の表示列によって構成され、前記開始操作手段による開始操作の検出に基づいて図柄を変動表示する変動表示手段と、
前記開始操作検出手段による開始操作の検出に基づいて抽選により所定の当選番号を決定し、更に決定した当選番号と内部当選役との対応関係を遊技状態に応じて規定する内部当選役決定テーブルに基づいて、内部当選役を決定する内部当選役決定手段と、
遊技者による停止操作の検出を行う停止操作検出手段と、
前記内部当選役決定手段の決定結果と前記停止操作検出手段による停止操作の検出とに基づいて前記図柄の変動表示を停止制御する停止制御手段と、
所定の開始条件を満たしたときに遊技状態を通常遊技状態から特別遊技状態に移行させ、所定の終了条件を満たしたときに遊技状態を前記特別遊技状態から前記通常遊技状態に移行させる遊技状態制御手段と、
前記停止制御手段により前記図柄の変動表示が停止制御されたことによって複数の表示列に停止表示された図柄の組合せに基づいて表示役を決定する表示役決定手段と、
前記内部当選役決定手段により決定された内部当選役を示す内部当選役情報と前記表示役決定手段により決定された表示役を示す表示役情報とを記憶する情報記憶手段と、
前記情報記憶手段により記憶された内部当選役情報と表示役情報とに基づいて前記表示役の入賞又は成立が正常か否かを判定する表示役判定手段と、
を備え、
前記停止制御手段は、特別遊技状態において、前記停止制御手段が特定の表示列に対応した停止操作を検出したときに、該特定の表示列において前記通常遊技状態における最大滑りコマ数である第１の最大滑りコマ数よりも短い第２の最大滑りコマ数の範囲内で導出可能な図柄を選択し、該選択した図柄を導出して変動表示を停止させる特別停止制御手段を備え、
前記内部当選役決定テーブルは、前記特別遊技状態における当選番号と内部当選役との対応関係を、前記通常遊技状態において当選番号と対応する内部当選役に加えて、入賞に係る全ての内部当選役を当該当選番号に対応する内部当選役として規定し、
前記情報記憶手段は、前記内部当選役決定手段により決定された当選番号に対応する内部当選役の全てについて入賞又は成立が可能であることを示した一の内部当選役情報を記憶することを特徴とする遊技機。
【請求項２】
請求項１に記載の遊技機において、
前記内部当選役情報は、各々のビットが１の内部当選役と対応したビット列であって、ビットをオンとすることで当該ビットに対応する内部当選役が決定されていることを表すと共に、複数の内部当選役の種別を同時に表すものであり、
前記表示役情報は、各々のビットが１の表示役と対応したビット列であって、ビットをオンとすることで当該ビットに対応する表示役が決定されていることを表すと共に、複数の表示役の種別を同時に表すものであり、
前記表示役判定手段は、前記内部当選役情報と前記表示役情報との排他的論理和演算を行い、その結果と前記表示役情報との論理積演算の結果に基づいて、前記表示役の入賞又は成立が正常か否かを判定することを特徴とする遊技機。
【手続補正２】
【補正対象書類名】明細書
【補正対象項目名】０００７
【補正方法】変更
【補正の内容】
【０００７】
上記目的を達成するため、本発明の遊技機は、遊技者による開始操作の検出を行う開始操作検出手段と、複数の表示列によって構成され、前記開始操作手段による開始操作の検出に基づいて図柄を変動表示する変動表示手段と、前記開始操作検出手段による開始操作の検出に基づいて抽選により所定の当選番号を決定し、更に決定した当選番号と内部当選役との対応関係を遊技状態に応じて規定する内部当選役決定テーブルに基づいて、内部当選役を決定する内部当選役決定手段と、遊技者による停止操作の検出を行う停止操作検出手段と、前記内部当選役決定手段の決定結果と前記停止操作検出手段による停止操作の検出とに基づいて前記図柄の変動表示を停止制御する停止制御手段と、所定の開始条件を満たしたときに遊技状態を通常遊技状態から特別遊技状態に移行させ、所定の終了条件を満たしたときに遊技状態を前記特別遊技状態から前記通常遊技状態に移行させる遊技状態制御手段と、前記停止制御手段により前記図柄の変動表示が停止制御されたことによって複数の表示列に停止表示された図柄の組合せに基づいて表示役を決定する表示役決定手段と、前記内部当選役決定手段により決定された内部当選役を示す内部当選役情報と前記表示役決定手段により決定された表示役を示す表示役情報とを記憶する情報記憶手段と、前記情報記憶手段により記憶された内部当選役情報と表示役情報とに基づいて前記表示役の入賞又は成立が正常か否かを判定する表示役判定手段と、を備え、前記停止制御手段は、特別遊技状態（ＣＢ遊技状態）において、前記停止制御手段が特定の表示列に対応した停止操作を検出したときに、該特定の表示列において前記通常遊技状態における最大滑りコマ数である第１の最大滑りコマ数（４コマ）よりも短い第２の最大滑りコマ数（１コマ）の範囲内で導出可能な図柄を選択し、該選択した図柄を導出して変動表示を停止させる特別停止制御手段を備え、前記内部当選役決定テーブルは、前記特別遊技状態における当選番号と内部当選役との対応関係を、前記通常遊技状態において当選番号と対応する内部当選役に加えて、入賞に係る全ての内部当選役を当該当選番号に対応する内部当選役として規定し、前記情報記憶手段は、前記内部当選役決定手段により決定された当選番号に対応する内部当選役の全てについて入賞又は成立が可能であることを示した一の内部当選役情報を記憶することに特徴がある。
また、本発明の遊技機においては、前記内部当選役情報は、各々のビットが１の内部当選役と対応したビット列であって、ビットをオンとすることで当該ビットに対応する内部当選役が決定されていることを表すと共に、複数の内部当選役の種別を同時に表すものであり、前記表示役情報は、各々のビットが１の表示役と対応したビット列であって、ビットをオンとすることで当該ビットに対応する表示役が決定されていることを表すと共に、複数の表示役の種別を同時に表すものであり、前記表示役判定手段は、前記内部当選役情報と前記表示役情報との排他的論理和演算を行い、その結果と前記表示役情報との論理積演算の結果に基づいて、前記表示役の入賞又は成立が正常か否かを判定することに特徴がある。
（１）参考として本発明の遊技機は、開始操作に応じて遊技開始指令信号（例えば、スタートスイッチ信号）を出力する遊技開始指令手段（例えば、スタートレバー６、スタートスイッチ６Ｓなど）と、前記遊技開始指令信号に基づいて乱数値を用いた抽選により所定の当選番号を決定し、更に決定した当選番号と内部当選役との対応関係を遊技状態に応じて規定するテーブル（例えば、図７の内部当選役決定テーブル）に基づいて、内部当選役を決定する内部当選役決定手段（例えば、図２７の内部抽選処理を行う手段としての主制御回路７１）と、停止操作に応じて停止指令信号（例えば、停止信号）を出力する停止指令手段（例えば、停止ボタン７Ｌ、７Ｃ、７Ｒ、リール停止信号回路４６）と、複数の識別情報を表示する識別情報表示手段（例えば、リール３Ｌ、３Ｃ、３Ｒ、表示窓４Ｌ、４Ｃ、４Ｒ）と、前記遊技開始指令信号に基づいて識別情報表示手段を変動すると共に、前記停止指令信号に基づいて識別情報表示手段を停止するよう制御する変動停止制御手段（例えば、図２３のステップＳ８〜Ｓ１３の処理を行う手段としての主制御回路７１）と、変動停止制御手段により識別情報表示手段が停止制御されたことによって停止表示された複数の識別情報の組合せに基づいて表示役を決定する表示役決定手段（例えば、図３２の表示役検索処理を行う手段としての主制御回路７１）と、内部当選役決定手段により決定された内部当選役を示す内部当選役情報（例えば、内部当選役１、内部当選役２を含む２バイトの内部当選役）と表示役決定手段により決定された表示役を示す表示役情報（例えば、表示役１、表示役２を含む２バイトの表示役）とを記憶する情報記憶手段（例えば、図２７のステップＳ８１〜Ｓ８４の処理と図３２のステップＳ２９８〜Ｓ３００の処理を行う手段としての主制御回路７１）と、情報記憶手段により記憶された前記内部当選役情報と前記表示役情報とに基づいて前記表示役の入賞又は成立が正常か否かを判定する表示役判定手段（図４０のイリーガルチェック処理を行う手段としての主制御回路７１）と、を備え、前記内部当選役が、所定の遊技状態（例えば、ＣＢ（ＭＢ）遊技状態）で複数の内部当選役のいずれかの入賞又は成立を可能とする複合役（例えば、複合役１又は複合役２）である場合、情報記憶手段は、前記複数の内部当選役の全てについて入賞又は成立が可能であることを示した一の内部当選役情報（例えば、内部当選役１と、複合役１を示すビット０からビット５を全て"１（オン）"とした内部当選役２とを含む２バイトの内部当選役）を記憶する構成を有している。
【手続補正３】
【補正対象書類名】明細書
【補正対象項目名】０００９
【補正方法】変更
【補正の内容】
【０００９】
（２）参考として本発明の遊技機は、（１）において、表示役判定手段は、前記複合役を示す一の内部当選役情報と前記表示役を示す表示役情報との論理演算（例えば、図４０のステップＳ３７１〜Ｓ３７４の処理）に基づいて、前記表示役の入賞又は成立が正常か否かを判定する構成を有している。
【手続補正４】
【補正対象書類名】明細書
【補正対象項目名】００２６
【補正方法】変更
【補正の内容】
【００２６】
ここでは、全てのリールが回転しているときに行われる第１停止ボタンの押下による停止操作を「第１停止操作」、次に行われる第２停止ボタンの押下による停止操作を「第２停止操作」、「第２停止操作」の後に行われる第３停止ボタンの押下による停止操作を「第３停止操作」という。また、３つの停止ボタン７Ｌ、７Ｃ、７Ｒの操作順序を表すとき、左停止ボタン７Ｌを「左」、中停止ボタン７Ｃを「中」、右停止ボタン７Ｒを「右」と略記する。更に、前述の「左」、「中」、「右」を、停止操作された順番で左から並べることとする。例えば「第１停止操作」として左停止ボタン７Ｌ、「第２停止操作」として中停止ボタン７Ｃ、「第３停止操作」として右停止ボタン７Ｒが操作されたとき、操作順序を「左中右」と略記する。なお、本実施形態の操作順序には、「左中右」、「左右中」、「中左右」、「中右左」、「右左中」及び「右中左」の"６種類"がある。なお、後述のＣＢ遊技状態では、ＣＴ制御が行われる。このＣＴ制御の対象は停止操作順に関らず、左リール３Ｌのみに固定され、左停止ボタン７Ｌによる停止操作がなされた場合の滑りコマ数は１コマの範囲（"０"又は"１"）に設定されている。また、ＣＢ遊技状態において、中停止ボタン７Ｃ、右停止ボタン７Ｒによる停止操作がなされた場合の滑りコマ数は４コマの範囲（"０"から"４"）に設定されている。